【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】
ラジアスコンベヤベルトであって、
ベルトの進行方向に配置された複数の第１の連結端部と、前記進行方向と反対方向に配置された複数の第２の連結端部とを有する複数のベルトモジュールと、前記第１および第２の連結端部の間に配置され、ウエブおよび前記ウエブに隣接して配置された波形の部分を備えたクロスリブと、を備え、
前記第１および第２の連結端部は、１つの連結端部を収容することができる１つの空間が各隣接する連結端部の間に形成されるように配置され、前記空間は、一端において開口し、他端において丸みを帯びた領域内に終わるように形成され、前記複数の第１の連結端部が前記複数の第２の連結端部からずらされて配置されていることによって、前記第１の連結端部が、前記第２の連結端部の間の空間に対して整列し、それによって、隣接して配置されたベルトモジュールは、１つのベルトモジュールの第１の連結端部が隣接するベルトモジュールの第２の連結端部の間に形成された空間内に嵌め込まれるように相互に挿入され得るようになっていて、前記複数の第１の連結端部は、その内部に形成されたスロットを有し、前記スロットは、ベルトの進行方向を横切って配置され、かつ前記ベルトの進行方向に沿ってのび、前記複数の第２の連結端部は、その内部に形成された横方向の開口を有しており、さらに、
前記ベルトの進行方向を横切って前記複数のベルトモジュールのうちの１つの第２の連結端部内の開口を貫通してのびるとともに、隣接するベルトモジュールの第１の連結端部に形成された開口を貫通してのび、それによって、前記隣接するベルトモジュールの第１および第２の連結端部が相互に挿入され、かつ前記隣接するベルトモジュールが、湾曲した経路に沿って運動し得る互いに隣接する蝶番によって連結された列の形に相互連結されるようにする旋回軸を備え、
前記クロスリブ上におけるウエブは、前記ベルトの進行方向に沿ってのび、前記ベルトが、前記ベルトの進行方向においてその最大長さまでのびるとき、前記ウエブおよび前記第１の連結端部の外側端、および前記第２の連結端部の側壁によって境界付けられた空間が、１０ｍｍより小さい直径を有するようになっていることを特徴とするラジアスコンベヤベルト。
【請求項２】
前記第１および第２の連結端部は、それぞれ実質上平行な側壁をもつ足部分を備えていることを特徴とする請求項１に記載のラジアスコンベヤベルト。
【請求項３】
前記第１および第２の連結端部は、それぞれ前記足部分よりも広い幅を有するベルト部分を有しており、前記ベルト部分は、一対の実質上平行な側壁および端部壁を有していることを特徴とする請求項２に記載のラジアスコンベヤベルト。
【請求項４】
前記ベルト部分の側壁および端部壁の連結部が、丸みを帯びるように形成されていることを特徴とする請求項３に記載のラジアスコンベヤベルト。
【請求項５】
前記ベルト部分の端部壁は、丸みを帯びるように形成され、かつ前記連結端部の上面を前記連結端部の底面に接続することを特徴とする請求項３に記載のラジアスコンベヤベルト。
【請求項６】
前記ベルトモジュールを貫通して、前記上面から前記底面までのびる開口を有していることを特徴とする請求項１に記載のラジアスコンベヤベルト。
【請求項７】
前記ウエブおよび波形の部分は、隣接する前記連結端部の間の空間の端部を形成する多段階面を形成していることを特徴とする請求項１に記載のラジアスコンベヤベルト。
【請求項８】
搬送システムであって、
ベルトの進行方向に沿って配置された複数の第１の連結端部と、前記進行方向と反対方向に沿って配置された複数の第２の連結端部とを有する複数のベルトモジュールを備え、
前記第１および第２の連結端部は、１つの連結端部を収容することができる１つの空間が、各隣接する連結端部の間に形成されるように配置され、前記空間は、一端が開放され、他端の丸みを帯びた領域内において終わっており、前記複数の第１の連結端部が前記複数の第２の連結端部からずれて配置され、それによって、前記第１の連結端部が前記第２の連結端部の間の空間に対して整列し、隣接して配置されたベルトモジュールは、１つのベルトモジュールの前記第１の連結端部が隣接するベルトモジュールの前記第２の連結端部の間に形成された空間内に嵌め込まれるように相互に挿入され得るようになっていて、前記複数の第１の連結端部は、その内部に形成されたスロットを有し、前記スロットは、前記ベルトの進行方向を横切って配置されるとともに、前記ベルトの進行方向に沿ってのび、前記複数の第２の連結端部は、その内部に形成された横方向の開口を有しており、さらに、
前記第１および第２の連結端部の間に配置され、かつウエブおよび波形の部分を有する中間部分を備え、
前記ウエブは、前記ベルトモジュールの中央に形成されるとともに、前記ウエブの第１の側部が、前記ベルトモジュールの第１の面内において終わり、前記ウエブの第２の側部が、前記波形の他端に隣接するように終わるように配置され、前記中間部分上のウエブが、前記ベルトの進行方向に沿ってのび、それによって、前記ベルトが、前記ベルトの進行方向に沿ってその最大長までのびたとき、前記ウエブおよび前記第１の連結端部の外側端、および前記第２の連結端部の側壁によって境界付けられた空間が１０ｍｍより小さい直径を有しており、さらに、
前記複数のベルトモジュールのうちの１つの前記第２の連結端部内の空間を貫通し、前記ベルトの進行方向を横切ってのびるとともに、隣接するベルトモジュールの前記第１の連結端部内に形成された開口を貫通してのびることによって、前記隣接するベルトモジュールの前記第１および第２の連結端部が相互に挿入され、かつ、前記隣接するベルトモジュールが、湾曲した経路に沿って運動し得る互いに隣接する蝶番によって連結された列の形に相互連結されるようにする旋回軸と、
その周囲を取り巻くように配置された歯を備えた駆動スプロケットと、を備え、
前記歯は、前記連結端部の丸みを帯びるように形成された端部壁に係合することによって、前記無端コンベヤベルトを搬送経路のまわりを回るように駆動するようになっており、前記ウエブおよび波形の部分は、隣接する連結端部の間の空間の端部を形成する多段階面を形成していることを特徴とする搬送システム。
【請求項９】
前記第１および第２の連結端部は、それぞれ実質上平行な側壁をもつ足部分を備えていることを特徴とする請求項８に記載の搬送システム。
【請求項１０】
前記第１および第２の連結端部は、それぞれ前記足部分よりも広い幅を有するベルト部分を有しており、前記ベルト部分は、一対の実質上平行な側壁および端部壁を有していることを特徴とする請求項９に記載の搬送システム。
【請求項１１】
前記ベルト部分の側壁および端部壁の連結部が、丸みを帯びるように形成されていることを特徴とする請求項１０に記載の搬送システム。
【請求項１２】
前記ベルト部分の端部壁は、丸みを帯びるように形成され、かつ前記連結端部の上面を前記連結端部の底面に接続することを特徴とする請求項１０に記載の搬送シテスム。
【請求項１３】
前記ベルトモジュールを貫通して、前記上面から前記底面までのびる開口を有していることを特徴とする請求項８に記載の搬送シテスム。
【請求項１４】
前記ウエブおよび波形の部分は、隣接する前記連結端部の間の空間の端部を形成する多段階面を形成していることを特徴とする請求項８に記載の搬送システム。
【請求項１５】
ａ）無端ラジアスコンベヤベルトを備えており、
前記無端ラジアスコンベヤベルトは、
その長さ方向にのびる波形の部分、および前記長さ方向に沿ってかつ前記波形の部分に隣接してのびるウェブを有する中間部分と、
横方向の開口および第１の丸みを帯びた端部壁を備え、前記中間部分から外向きにのびる複数の第１の連結端部と、
細長い形状の横方向の開口および第２の丸みを帯びた端部壁を備え、前記中間部分から外向きに、かつ前記第１の連結端部と反対向きにのびる複数の第２の連結端部と、
ベルトの進行方向を横切って、前記複数のベルトモジュールのうちの１つの第１の連結端部の横方向の開口を貫通し、かつ、それに隣接する前記ベルトモジュールの第２の連結端部の前記細長い形状の横方向の開口を貫通してのびることにより、隣接する前記ベルトモジュールの第１および第２の連結端部が相互に挿入され、かつ前記隣接するベルトモジュールが湾曲した経路に沿って運動し得る互いに隣接する蝶番によって連結された列の形に相互連結されるようにする旋回軸と、
前記ラジアスコンベヤベルトの内部に配置され、角度を付けられた面をもつ中間部分を有する少なくとも１つの中間ベルトモジュールと、を有しており、さらに、
ｂ）その周囲に歯を備えた駆動スプロケットを備えており、
前記駆動スプロケットの歯は、前記連結端部の第１および第２の丸みを帯びた端部壁と係合し得るとともに、前記中間ベルトモジュールの中間部分の角度を付けられた面に係合し得るようになっていることによって、前記無端ラジアスコンベヤベルトを搬送経路に沿って駆動させるようになっていることを特徴とするコンベヤシステム。
【請求項１６】
前記波形の部分は、アーチ状に形成されていることを特徴とする請求項１５に記載のコンベヤシステム。
【請求項１７】
前記第１および第２の連結端部は、それぞれ、前記中間部分に連結された足部分を備え、前記足部分は、それぞれ、実質上平行な側壁を有していることを特徴とする請求項１５に記載のコンベヤシステム。
【請求項１８】
前記第１および第２の連結端部は、それぞれ前記足部分よりも広い幅を有するベルト部分を有しており、前記ベルト部分は、一対の実質上平行な側壁および端部壁を有していることを特徴とする請求項１７に記載のコンベヤシステム。
【請求項１９】
前記ベルト部分の側壁および端部壁の連結部が、丸みを帯びるように形成されていることを特徴とする請求項１８に記載のコンベヤシステム。
【請求項２０】
前記ウエブおよび波形の部分は、隣接する前記連結端部の間の空間の端部を形成する多段階面を形成していることを特徴とする請求項１９に記載のコンベヤシステム。
【請求項２１】
前記波形の部分は、前記連結端部の足部分とともに一連のアーチ状凹部を形成していることを特徴とする請求項１５に記載のコンベヤシステム。